【事件の表示】
　平成１１年特許願第２５００９１号「パチンコ機」拒絶査定に対する審判事件［平成１２年　２月２９日出願公開、特開２０００−　６１０９８］について、次のとおり審決する。
【結　論】
　本件審判の請求は、成り立たない。
【理　由】
１．手続の経緯・本願発明
　本願は、平成３年１２月６日に特許出願した特願平３−３４９６５２号の一部を平成１１年９月３日に新たな特許出願（特願平１１−２５００９１号）としたものであって、その請求項１に係る発明は、平成１３年１２月７日付けの手続補正書によって補正された明細書及び図面の記載からみて、本願の特許請求の範囲の請求項１に記載された次のとおりのものと認める。（以下、「本願発明」という。）
「電気的駆動源により作動して所定数のパチンコ球を払い出す電気的球払出装置と、前記電気的球払出装置から払い出されるパチンコ球をパチンコ機前面の打球供給皿に導くための球排出樋とを備えたパチンコ機において、
　前記電気的球払出装置の本体ベースには、払い出されるパチンコ球を整流しかつ前記球排出樋と連通する排出通路を形成し、前記排出通路を分岐すると共にその分岐個所に切替え動作する切替レバーを設けた通路切替装置を設けたことを特徴とするパチンコ機。」
　　　　　　　　　　　　　　　　　　　　　　　　　　　　　　　　　
２．刊行物に記載された発明
　これに対して、原査定の拒絶の理由に引用された、本願の出願前に頒布された刊行物である実願昭６０−１７８９２０号（実開昭６２−８７６７８号）の願書に添付した明細書及び図面の内容を撮影したマイクロフィルム（以下、「刊行物」という。）には、以下の記載が認められる。
a．「パチンコ遊技機１の背面上部には景品玉を貯溜する景品玉タンク２が配置され、該景品玉タンク２の一側下方に形成される開口・・・に連接されて景品玉を二列に整列させる玉整列樋３が配置される。玉整列樋３は・・・屈曲部６を有する・・・屈曲部６の外側面には玉抜き口８が形成されており、該玉抜き口８には・・・開閉部材の一部を構成する開閉蓋部材２４が開閉自在に軸止されている。また、前記玉抜き口８に連通して玉抜き樋９が縦方向に配置され、前記開閉蓋部材２４が開状態のときに排出される景品玉をパチンコ遊技機１外に排出している。玉整列樋３の誘導樋部７の末端には所定数の景品玉を払い出す景品玉排出装置１０が配置される。」（第４頁第１３行−第５頁第１１行）
b．「景品玉排出装置１０は周知のように所定数の景品玉（例えば１５個）を収容する景品玉ケース１１と該景品玉ケース１１内に交互に出没して景品玉を所定数に区切る蓋部材１２と該蓋部材１２を作動せしめるリンク部材１３a〜１３cとからなっている。」（第５頁第１１−１５行）
c．「景品玉排出装置１０に連続してパチンコ遊技機の表側に設けられる玉受皿・・・に景品玉を導く景品玉排出通路１４・・・が配置されている。・・・玉整列樋３、玉抜き樋９、景品玉排出装置１０、景品玉排出通路１４・・・等は・・・裏機構板１６上にすべて配置されている。」（第５頁第１５行−第６頁第５行）
上記の記載（a．ないしc．）より、刊行物にはつぎの発明（以下、「引用発明」という。）が記載されていると認められる。　
「パチンコ遊技機１の背面上部に景品玉を貯溜する景品玉タンク２が配置され、該景品玉タンク２の一側下方に形成される開口に連接されて景品玉を二列に整列させる玉整列樋３が配置され、玉整列樋３は屈曲部６を有していて、屈曲部６の外側面には玉抜き口８が形成されており、該玉抜き口８には開閉部材の一部を構成する開閉蓋部材２４が開閉自在に軸止され、前記玉抜き口８に連通して玉抜き樋９が縦方向に配置され、前記開閉蓋部材２４が開状態のときに排出される景品玉をパチンコ遊技機１外に排出しており、玉整列樋３の誘導樋部７の末端には所定数の景品玉を払い出す景品玉排出装置１０が配置され、景品玉排出装置１０に連続してパチンコ遊技機の表側に設けられる玉受皿に景品玉を導く景品玉排出通路１４が配置されており、玉整列樋３、玉抜き樋９、景品玉排出装置１０、景品玉排出通路１４等は裏機構板１６上にすべて配置されている、パチンコ遊技機。」
　　　　　　　　　　　　　　　　　　　　　　　　　　　　　　　　　
３．対比・判断 　 　 
　本願発明と引用発明とを対比すると、引用発明における「所定数の景品玉を払い出す」は本願発明における「所定数のパチンコ球を払い出す」に対応しており、同様に「パチンコ遊技機の表側に設けられる玉受皿に景品玉を導く景品玉排出通路」は「パチンコ球をパチンコ機前面の打球供給皿に導くための球排出樋」に、「パチンコ遊技機」は「パチンコ機」に、それぞれ対応している。
　ここで刊行物の記載事項b．によれば、引用発明における「景品玉排出装置」は電気的駆動源により作動するものであるといえるから、引用発明における上記「景品玉排出装置」は本願発明における「電気的球払出装置」に対応している。そして引用発明において、「景品玉排出装置」から排出された「景品玉」は整流されて「景品玉排出通路」へと導かれることが明らかであるから、引用発明は、本願発明の「払い出されるパチンコ球を整流しかつ球排出樋と連通する排出通路」に対応する構成を実質上備えていることが明らかであり、該対応構成は刊行物の記載事項c．によれば裏機構板に設けられているといえる。また引用発明において、「玉整列樋」の「玉抜き口」に「開閉蓋部材」を介して連通した「玉抜き樋」は玉通路である「玉整列樋」を分岐して形成した通路であり、分岐個所である「玉抜き口」に設けた「開閉蓋部材」は実質上本願発明における「切替レバー」に対応するものであって、引用発明は「玉整列樋」と「玉抜き樋」との分岐個所に切替え動作する切替レバーを設けた通路切替装置を設けたものといえる。そして、本願発明における「排出通路」も、引用発明における「玉整列樋」も、共に「球（玉）通路」である点で共通しているから、本願発明と引用発明とは、球（玉）通路を分岐すると共にその分岐個所に切替え動作する切替レバーを設けた通路切替装置を設けた点で共通しているといえる。
そうすると、両者は以下の点で一致し、また相違していると認められる。
一致点：
電気的駆動源により作動して所定数のパチンコ球を払い出す電気的球払出装置と、前記電気的球払出装置から払い出されるパチンコ球をパチンコ機前面の打球供給皿に導くための球排出樋とを備えたパチンコ機において、払い出されるパチンコ球を整流しかつ前記球排出樋と連通する排出通路を形成し、球通路を分岐すると共にその分岐個所に切替え動作する切替レバーを設けた通路切替装置を設けたパチンコ機、である点。
相違点：
本願発明は、排出通路を電気的球払出装置の本体ベースに形成し、通路切替装置を設けた球通路が前記排出通路であるのに対して、引用発明は排出通路を裏機構板に形成し、通路切替装置を設けた玉（球）通路が玉整列樋である点。
　上記の相違点について検討する。　　　　　　　　　　　　　　　　　　
　本願発明における「通路切替装置」の技術的意義は「排出通路２０と球抜通路２９を連通させ、（中略）電気的球払出装置１３から払い出されるパチンコ球を球抜通路２９へ導いて、球抜きをする。」（明細書の段落【００１５】）ことにあるから、「分岐」して形成する「通路」は実質上「球抜通路」であるといえる。ところで一般にパチンコ機において、球通路を分岐して球抜き操作を行うことはパチンコ機の維持管理上必要不可欠な技術事項であり、球抜通路を形成する球通路上の分岐個所の位置は、電気的球払出装置を中心としてみた場合、上流側である球供給通路（引用発明における「玉整列樋」に該当する）とするか、下流側である賞球排出通路（本願発明における「排出通路」に該当する）とするかのいずれかであり、どちらもきわめて周知であって、当業者が必要に応じて適宜選択し、実施している設計事項である。この事実は、電気的球払出装置の下流側である賞球排出通路を分岐してその分岐箇所に通路切替装置を設けると共にこれらを一体的に組み込んだ賞球排出ユニットが周知である（例えば、下記の周知例１ないし周知例３があげられる）ことからも明らかである。ここで本願発明の電気的球払出装置の「本体ベース」が技術的に裏付ける事項に関連して本願の明細書を参照すると、「電気的球払出装置１３は（中略）本体ベース１５と駆動モータ１６とリードスクリュー１７とカバー１８とによって大略構成されている。」（段落【０００８】）こと、「（パチンコ球が）リードスクリュー１７の回転によって排出通路２０a，２０bに払い出される」（段落【０００９】）こと、「各排出通路２０a，２０bは途中で合流して１本の排出通路２０に形成され（中略）その一側に分岐して球抜通路２９が形成される。３０は通路切替装置であって、（中略）分岐個所に切替レバー３２を回動可能に軸着」（段落【００１０】）すること等が記載されている。これらの記載と審判請求書及び審判請求書を補正した平成１４年６月２０日付けの手続補正書（以下、これらを「審判請求書」という）の「本願発明は、（中略）本体ベース１５に排出通路２０等を一体に設けてユニット化でき」（上記手続補正書第２頁の項目（３））の記載及び「本体ベース１５に、電気的球払出装置１３から払い出されるパチンコ球を整流しかつ球排出樋１４と連通する排出通路２０を形成」（同じく手続補正書第２頁の項目（４））の記載等を総合的にみると、本願発明における「本体ベース」とは、「電気的球払出装置」の本体を構成するベース部であり、本願発明はこの「本体ベース」に、払い出されるパチンコ球を整流しかつ球排出樋と連通する排出通路を形成し、前記排出通路を分岐すると共にその分岐個所に切替え動作する切替レバーを設けた通路切替装置を設けた、パチンコ機における「電気的球払出装置」のユニット体であるといえる。そうすると、本願発明が備える上記相違点の構成は、上記した周知技術における「賞球放出装置」（周知例１）または「景品球放出ユニット２０」（周知例２）または「賞球排出部７００」（周知例３）と異なるところがない。さらにいえば、本願発明が備える「本体ベース」は、「セット基板１」（周知例１）または「ユニットケース２１」（周知例２）または「賞球排出��ニット７００Ａ」及び「賞球排出樋ユニット７００Ｂ」（周知例３）に対応している。すると、これらの周知技術を技術的前提とし、引用発明において裏機構板にそれぞれ設けられている、「景品玉排出装置」から排出された「景品玉」を整流して「景品玉排出通路」へと導く排出通路を「景品玉排出装置」の本体に一体的に形成することは当業者が容易に想起し得たことであり、その際に「景品玉排出装置」の上流側の分岐個所に設けられていた通路切替装置の位置を、「景品玉排出装置」の下流側である上記排出通路に分岐部と共に変更したことは単なる設計の変更にすぎない。しかも本願発明の奏する効果に、引用発明及び周知技術から容易に予測できる以上の格別のものがあるとも認められない。なお、請求人は審判請求書において、「本願発明は、（中略）パチンコ機１内のパチンコ球を抜く場合、（中略）払い出されるパチンコ球を排出通路２０（２０a，２０b）を介して通路切替装置３０により開放される球抜樋２９へ球抜きするようにしたので、前記各パチンコ球は総て一箇所に集められることとなり、（中略）パチンコ球の抜き残しなく完全に球抜きでき、（中略）また、この際（中略）整流されたまま球抜樋２９に導かれるので、（中略）球詰りを生ずることもな」いことを効果として主張しているが、請求人が主張する点は、球抜きのための分岐通路及び通路切替装置を電気的球払出装置の下流側に設けるという、上記した周知技術が本来的に奏する作用効果であり、当業者にとって自明な効果に過ぎない。
　したがって、本願発明は、引用発明及び周知技術に基いて、当業者が容易に発明をすることができたものである。
　　　　　　　　　　　　　　　　　　　　　　　　　　　　　　　　　
【周知例】
周知例１：特開昭６３−１１５５８１号公報
「賞球放出装置」のベースとなる「セット基板1」に、賞球を受入れて賞球数を設定し「賞球放出流路２１」へ放出する「賞球ケースＳ」を装填し、「セット基板1」の下端には「賞球放出流路２１」に分岐して玉抜き用の「排出流路２３」を形成し、「玉抜き弁５８」の作動により「賞球流路２８」内の賞球を「排出流路２３」内に落下して排出するように構成した、パチンコ機における賞球放出装置が記載されている。（第２頁左上欄第３−８行、第２頁右下欄第１１行−第３頁左上欄第１２行、第５頁左下欄第４−１８行並びに図面第１図−第１０図）
周知例２：特開平３−８５１９０号公報
「景品球放出ユニット２０」の「ユニットケース２１」に「景品球放出溝７１」を設け、「景品球放出溝７１」を分岐して形成した「球抜き溝７２」の分岐部を「球抜きレバー４２」により切替えるパチンコ機における景品球放出ユニットが記載されている。（第３頁右上欄第１４行−第５頁左上欄第１行及び図面第２図−第４図）
周知例３：特開平３−２４７３７４号公報
「賞球排出部７００」を「賞球排出ユニット７００Ａ」と「賞球排出樋ユニット７００Ｂ」とから構成し、「賞球排出ユニット７００Ａ」の「賞球排出誘導枠７０１Ａ」には「賞球排出装置７４０」が設けられており、「賞球排出樋ユニット７００Ｂ」には「球導出樋７５０」を設け、「球導出樋７５０」の分岐部には「切換えゲート７６２」により切換えを行う「球抜き装置７６０」を設けたパチンコ機における賞球排出部が記載されている。（第６頁右下欄第９行−第７頁右上欄第７行、第８頁右下欄第５−１７行、第１０頁左上欄第５行−右下欄第２行並びに図面第２図、第４図、第６図、第７図）
  　　　　　　　　　　　　　　　　　　　　　　　　　　　　　　　　
４．むすび
　したがって、本願発明は、引用発明及び周知技術に基いて、当業者が容易に発明をすることができたものであるので、特許法第２９条第２項の規定により特許を受けることができない。
　よって、結論のとおり審決する。